(57)【要約】【課題】  本発明は注射器３と注射針１とによる採血をスピイツ内に安全迅速に採血（分注）することを目的とする。【解決手段】  注射針１の基端部２に注射器３のノズル４を着脱自在に嵌合する注入口５を開口し、上記基端部２に雄ネジ部６を形成し、該雄ネジ部６を採血管ホルダー７に着脱自在に螺入するようにし、上記注入口と上記雄ネジ部とを短管で接続し、該短管に複数の補強縁を上記基端部の中心線に沿って設けてなることを特徴とする採血針。【選択図】  図１
2007236541.tif 000002
【特許請求の範囲】
【請求項１】
注射針の基端部に注射器のノズルを着脱自在に嵌合する注入口を開口し、
上記基端部に雄ネジ部を形成し、
該雄ネジ部を採血管ホルダーに着脱自在に螺入するようにした採血針。
【請求項２】
上記注入口と上記雄ネジ部とを短管で接続し、該短管に複数の補強縁を上記基端部の中心線に沿って設けた請求項１記載の採血針。
【請求項３】
上記注入口と上記雄ネジ部とをカテーテルで接続し、該雄ネジ部に翼状板を設けた請求項１又は２記載の採血針。
【請求項４】
上記雄ネジ部を上記採血管ホルダーに螺着してなる請求項１〜３いずれかに記載の採血針。
【請求項５】
上記注射針に代る穿刺針である請求項１〜４のいずれかに記載の採血針。
【請求項６】
上記雄ネジ部に代り上記基端部に逆止係合部を形成し、上記採血管ホルダーに上記着脱自在螺入に代り逆止係合するように形成した請求項１〜５記載の採血針。
【発明の詳細な説明】
【技術分野】
【０００１】
本発明は採血用注射器に用いる採血針に関するものである。
【背景技術】
【０００２】
血管が極めて細い患者や乳幼児又は静脈圧が低い場合或は血液量が少ない場合で真空管採血が困難な場合がある（例えば特許文献１、２）。
【０００３】
しかし真空管採血による合併症のリスクが大きい場合には注射器と従来の注射針を用いた採血が行われる（例えば非特許文献１）。
【０００４】
注射器と従来の注射針を用いた採血では注射針を減圧採血管又は陰圧試験管（スピイツ）内にゴム栓から刺入し、注射器内の採血（検体）をスピイツ内に直接減圧により採血した。
【０００５】
このような採血手順では右手に持った注射器の注射針を一旦体外に露出し、この注射針をスピイツ内に刺入する手順又は動作が行われ、針刺し事故を起こしやすいという危険性があり、かつ時間を要し、陰圧（負圧）及び針の内径（２２ゲージ以下）によっては血液中の赤血球が壊れ溶血して検体（検査用の血液）に用い難いという問題があった。
【０００６】
【特許文献１】特開平９−５６７００号公報
【特許文献２】特開２００５−３２５４８６号公報
【非特許文献１】北海道医報第１０３２号平成１６年９月１日「標準採血法ガイドライン」（第１版）（３）（４）頁
【発明の開示】
【発明が解決しようとする課題】
【０００７】
本発明は注射器と注射針とによる採血をスピイツ内に安全迅速に採血（分注）することを目的とする。
【課題を解決するための手段】
【０００８】
上記の目的を達成するため本発明は、
第１に注射針の基端部に注射器のノズルを着脱自在に嵌合する注入口を開口し、上記基端部に雄ネジ部を形成し、該雄ネジ部を採血管ホルダーに着脱自在に螺入するようにした採血針、
第２に上記注入口と上記雄ネジ部とを短管で接続し、該短管に複数の補強縁を上記基端部の中心線に沿って設けた上記第１発明記載の採血針、
第３に上記注入口と上記雄ネジ部とをカテーテルで接続し、該雄ネジ部に翼状板を設けた上記第１又は第２発明記載の採血針、
第４に上記雄ネジ部を上記採血管ホルダーに螺着してなる上記第１〜第３発明いずれかに記載の採血針、
第５に上記注射針に代る穿刺針である上記第１〜第４発明のいずれかに記載の採血針、
第６に上記雄ネジ部に代り上記基端部に逆止係合段を形成し、上記採血管ホルダーに上記着脱自在螺入に代り逆止係合するように形成した上記第１〜第５発明のいずれかに記載の採血針、
によって構成される。
【０００９】
従って注射針の上記注入口に注射器のノズルを嵌合し、注射針を静脈に刺入して注射器のシリンダー内に血液を採血する。
【００１０】
その後上記注射針を上記ホルダー内に挿入し、該注射針の基端部に形成した雄ネジ部を該ホルダーに螺入し、
該ホルダーの他端から負圧採血管（スピイツ）を該ホルダー内に挿入すると該採血管のゴム栓を貫通して該採血管内に注射針が刺入され、該採血管の負圧又は陰圧により、注射器内の採血（検体）は自動的に該採血管内に流入し、これを繰返して複数の採血管内に上記採血を分注することができる。
【発明の効果】
【００１１】
本発明では注射器のノズルに注射針の注入口を嵌合装着し、そのまま注射針を直接採血管ホルダー内に挿入し、注射針と上記ホルダーとを螺着して固定し得て、その状態で安全迅速に注射器内の検体を採血管（スピイツ）内に速やかに採血し得る効果がある。
【発明を実施するための最良の形態】
【００１２】
注射針１の基端部２はほぼ錐形の合成樹脂製支持部であって一端に注入口５を開口する。
【００１３】
この注入口５には注射器３のノズル４を着脱自在に嵌合し、注射器３はシリンダー３’内に手動摺動杆３”を有する一般の医療用注射器３である。
【００１４】
上記基端部２の他端側即ち注射針１側に雄ネジ部６を形成する（図１（イ）（ロ）（ハ）（ニ）図に示す）。
【００１５】
この雄ネジ部６は図３（イ）（ロ）（ハ）図に示すように採血管ホルダー７の底端に形成した雌ネジ孔７’に着脱自在に螺入することができる。
【００１６】
上記基端部２については図８（イ）（ロ）図に示すように雄ネジ部６に翼状板９を設け、カテーテル８を介して上記注入口５を接続し、翼状針を形成する。
【００１７】
上記注入口５は截頭円錐形で開口端にフランジ５’を有し、他端と雄ネジ部６とを短管１０で一体に接続し、短管１０の外周に中心線ｃと平行に複数（４個）の補強縁（リブ）１１を設ける。
【００１８】
このように形成した注射器３の注射針１を図２（イ）図に示すように静脈１２に刺入し、手動摺動杆３”を操作して図２（ロ）図に示すようにシリンダー３’内に採血することができる。
【００１９】
採血後図３（ロ）図に示すように雄ネジ部６をホルダー７の雌ネジ孔７’に螺入することによって注射針１をホルダー７内に挿入支持する。
【００２０】
このように雄ネジ部６と雌ネジ孔７’とを螺着することによって注射針１とその基端部２とは中心線ｃの方向に上記ホルダー７に固定され、
その状態で図３（ハ）図に示すように上記採決管１３（スピイツ）をホルダー７内に押込むと、該採血管１３のゴム栓１３’を経て注射針１が該採血管１３内に圧入される。
【００２１】
上記採血管１３の押込み圧力で注射針１を中心線ｃ方向に押圧しても、注射針１は基端部２の雄ネジ部６とホルダー７の雌ネジ孔７’とが螺着しているため注射針１が押されてホルダー７から外れるおそれは無く、採血管１３（スピイツ）内と注射器３のシリンダー３’内とは連通し、該シリンダー３’内の採血（検体）は圧力差によって自動的に採血管１３内に流入する。
【００２２】
上記注射針１の内径は２２ゲージ以下では上記のように不可である。
【００２３】
シリンダー３’内の手動摺動杆３”は図３（ロ）図位置から図３（ハ）図位置に自動的に摺動する。
【００２４】
上記採血管１３内に採血が収容された後該採血管１３をホルダー７から引抜いて取り外し、図３（ニ）図に示す新たな採血管１３を上述のようにホルダー７内の注射針１に圧入して上述の採血動作を繰返し、複数の採血管１３に採血（分注）することができる。
【００２５】
分注終了後は図４（ロ）図に示すように注入口５とノズル４とを分離するとホルダー７と注射針１とは雄ネジ部６と雌ネジ孔７’とが一体に螺着した状態となり、注射器３のシリンダー３’は注入口５から分離する。
【００２６】
この状態において注射針１を図５（イ）図に示すように下向となし、注射針１を収容瓶１４の蓋１４’の中央開口部１５に挿入し、中央開口部１５に形成した鍵孔１５’に上記補強縁（リブ）１１を係合させて（図６,７）雄ネジ部６の中心線ｃの回りの回動を制止し、その状態で上方にあるホルダー７を中心線ｃの回りに逆回動することによってホルダー７の雌ネジ孔７’と雄ネジ部６との螺合（螺着）を解除することにより注射針１を収容瓶１４内に落下封入することができる。
【００２７】
上記基端部２は図８（イ）（ロ）図に示すように上記注入口５と上記雄ネジ部６側の短管１０とを合成樹脂柔軟チューブ（カテーテル８という）によって接続し、上記補強縁１１（リブ）から突出した上記短管１０（図１（ニ）図）の側面に中心線ｃと直角に両側に拡がる翼状板９を設けて注射針１と注射器３とを必要に応じて隔離状態にカテーテル８により接続することができ、カテーテル８を経て注射器３内に採血し、その状態で雄ネジ部６をホルダー７の雌ネジ孔７’に螺着し、カテーテル８を経て採血管１３に分注することができる。
【００２８】
尚図中１６で示すものはシリンダー３’の内面に摺動自在に密着する手動摺動杆３”の先端ピストン、図２中１７は人の腕である。
【００２９】
又上記雄ネジ６に代り、図１０（イ）（ロ）図に示すように上記基端部２に逆止係合部６’を形成し、上記ホルダー７の底部に穿設した透孔１８内に発条１９，１９の力によって対向方向に近接する拡縮材２０，２０を設け、該拡縮材２０，２０の外面にホルダー７の中心に向うテーパ誘道面２０’，２０’となし、該誘道面２０’，２０’に沿って逆止係合部６’をホルダー内に挿入し、該係合部６’を拡縮材２０，２０に逆止状態に係合させることができる。
【産業上の利用可能性】
【００３０】
本発明は上述のように構成したのでホルダー７の雌ネジ孔７’に螺入した雄ネジ６の一端に突設した注射針（図示していない）によっては採血し難い患者であっても、通常の注射器３内にその注射針１によって採血することができる。
【００３１】
上記注射器３内の採血（検体）をシリンダー３’のノズル４に嵌合した既設の注射針１の基端部２に形成した雄ネジ部６にホルダー７の雌ネジ孔７’を雌雄螺着して中心線ｃの方向に摺動分離が不可能となすことができる。
【００３２】
その状態で上記ホルダー７内に減圧採血管１３（スピイツ）をゴム栓１３’から圧入し得て、上記ホルダー７内の注射針１をゴム栓１３’を経て該管１３（スピイツ）内に刺入することができる。該管１３（スピイツ）内と注射器３のシリンダー３’内とは圧力差によりシリンダー３’内の採血はスピイツ１３内に注射針１やカテーテル８を経て自動的に流入し、迅速安全に分注することができる。
【００３３】
又従来の（常用の）注射針（図示していない）を注射器３のノズル４に装着して注射器３内に採血を行った後、該注射針を収容瓶１４内に分離し、上記ノズル４に図９（ハ）図に示す穿刺針１の基端部２の注入口５を嵌合し、該基端部２の雄ネジ部６をホルダー７の雌ネジ孔７’に螺着し、
【００３４】
その状態でホルダー７内にスピイツ１３を挿入し、穿刺針１から注射器３内の採血をスピイツ１３内に分注することができる。
【図面の簡単な説明】
【００３５】
【図１】（イ）（ロ）（ハ）図は本発明の採血針を示す側面図、（ニ）図は採血針の斜視図である。
【図２】（イ）図は静脈に刺入した状態の縦断面図、（ロ）図は採血した状態の縦断面図である。
【図３】（イ）図は本発明の注射針をホルダーに挿入する前の状態の縦断面図、（ロ）図は雄ネジ部と雌ネジ孔との螺着状態の縦断面図、（ハ）図はホルダーに負圧採血管を圧入した状態の縦断面図、（ニ）図は負圧採血管（スピイツ）の一部切欠側図である。
【図４】（イ）図はホルダーからスピイツを取り外した状態の縦断側面図、（ロ）図は注射器のノズルを注入口から分離した状態の縦断側面図である。
【図５】（イ）図は注射針収容瓶に注射針の注入口を挿入係合した状態の縦断面図、（ロ）図は注射針を上記瓶に分離落下させた状態の縦断面図である。
【図６】図５（ロ）図Ａ−Ａ線による拡大平面図である。
【図７】図５（イ）図の一部拡大縦断面図である。
【図８】（イ）図はカテーテルを介在させた状態の側面図、（ロ）図は（イ）図の一部拡大図である。
【図９】（イ）図は上記注射針をラバースリーブで被覆した穿刺針をホルダーに装着した縦断正面図、（ロ）図は該穿刺針をスピイツに刺入した状態の正面図、（ハ）図は上記穿刺針を横向にした状態の正面図である。
【図１０】（イ）図は逆止係合段及びホルダーに係合した状態の側面図、（ロ）図は翼状針の側面図である。
【符号の説明】
【００３６】
１          注射針
２          基端部
３          注射器
４          ノズル
５          注入口
６          雄ネジ部
７          採血管ホルダー
７’        雌ネジ孔
８          カテーテル
９          翼状板
【図１】
2007236541.tif 000003
【図２】
2007236541.tif 000004
【図３】
2007236541.tif 000005
【図４】
2007236541.tif 000006
【図５】
2007236541.tif 000007
【図６】
2007236541.tif 000008
【図７】
2007236541.tif 000009
【図８】
2007236541.tif 000010
【図９】
2007236541.tif 000011
【図１０】
2007236541.tif 000012